(57)【特許請求の範囲】
【請求項１】
電気絶縁材料から構成された板状部材からなり、
前記板状部材の少なくとも一方の面に第１のラッチ部が形成されたラッチ領域を具備し、
前記ラッチ領域に対し保持部材が差し込まれて前記保持部材の第２のラッチ部が前記第１のラッチ部に係止して前記保持部材が前記板状部材に近接する電子部品を保持するように構成された仕切り板。
【請求項２】
前記ラッチ領域を複数設け、各ラッチ領域に対応して、前記保持部材が差し込まれる前記板状部材の一端部に段差を設けた請求項１に記載の仕切り板。
【請求項３】
前記板状部材に前記電子部品を装着するためのガイドレール部を一体に設けた請求項１または２に記載の仕切り板。
【請求項４】
前記電子部品が近接して配置された際に前記電子部品を掴むことができるような開口部を前記板状部材に設けた請求項１，２または３に記載の仕切り板。
【請求項５】
前記ラッチ領域に近接してラッチ部のない非ラッチ領域を前記第１のラッチ部の延びる方向に設け、前記第１のラッチ部に沿って前記保持部材が前記非ラッチ領域に向けてスライドが可能である請求項１，２，３または４に記載の仕切り板。
【請求項６】
請求項１〜５のいずれか１項に記載の仕切り板を２つの電子部品の間に配置し前記両電子部品を電気的に絶縁するように仕切るとともに前記保持部材が前記電子部品を保持する電子部品の仕切構造。
【請求項７】
請求項１〜５のいずれか１項に記載の仕切り板に差し込まれて前記電子部品を保持する保持部材。
【請求項８】
電気絶縁材料から構成された板状部材からなり、前記板状部材の少なくとも一方の面に設けられ第１のラッチ部が形成されたラッチ領域を備え、筐体内に配置された仕切り板を具備し、
前記第１のラッチ部に係止する第２のラッチ部と、前記仕切り板に近接して前記筐体内に配置された電子部品に当接して保持する保持部とを備えた保持部材が前記ラッチ領域に差し込まれて前記保持部が前記電子部品に当接し前記第２のラッチ部が前記第１のラッチ部に係止されて前記保持部材が前記電子部品を保持し固定することを特徴とする電子機器。
【請求項９】
前記仕切り板の両面側に配置された両電子部品を保持する請求項７に記載の保持部材。
【請求項１０】
一端で連結し他端で開口し対向した第１の側面部と第２の側面部とを備え、前記第２のラッチ部が前記第１の側面部の前記他端側内面に設けられ、前記保持部が前記第１及び第２の側面部の少なくとも一方に外面側に突き出るように設けられた請求項７に記載の保持部材。
【請求項１１】
前記仕切り板が可撓性に構成され、前記板状部材の側端に係止部を設け、前記係止部が筐体側係止部に係止されることにより、前記仕切り板が前記筐体に取り付けられる請求項８に記載の電子機器。
【発明の詳細な説明】
【０００１】
【発明の属する技術分野】
本発明は、パソコン（ＰＣ）やサーバ等の電子機器内においてＩ／Ｏカード等の電子部品を電気的に絶縁するように仕切りかつ保持する仕切り板、この仕切り板に差し込まれる保持部材、この仕切り板で２つの電子部品を仕切る仕切構造及びこの仕切り板または仕切構造を備えた電子機器に関するものである。
【０００２】
【従来の技術】
パソコン（ＰＣ）やサーバ等の電子機器内に搭載されるＰＣＩカードやＥＩＳＡカード等のＩ／Ｏカードは電子機器内の接続コネクタに差し込まれ、この状態で電子機器が工場から出荷される。ところが、出荷搬送中等に受ける振動により、かかるＩ／Ｏカード等の電子部品が接続コネクタから抜け出し、いわゆる半抜け状態になることがある。また、ユーザが使用中に電子機器を頻繁に移動させたような場合にもかかる半抜け状態になることがある。このようなＩ／Ｏカード等の半抜けを防止するための従来の電子機器における電子部品の保持構造の例を図１３により説明する。
【０００３】
図１３のように、電子機器内の筐体１に固定された複数の接続コネクタ２にそれぞれ高さの異なるＩ／Ｏカード３ａ、３ｂ、３ｃが差し込まれている。Ｉ／Ｏカード３ａ〜３ｃの上部にＬ字形の保持部材５ａ、５ｂ、５ｃが配置されており、各保持部材の底部５ｄが各Ｉ／Ｏカードの上端９にスポンジ４を介して当接している。筐体１の上方には支持棒６がその両端でねじ８により支持枠１に固定されており、この支持棒６に各保持部材５ａ〜５ｃの上端がねじ７により固定されている。このようにして複数のＩ／Ｏカード３ａ〜３ｃが接続コネクタ２に差し込まれた状態で保持部材５ａ〜５ｃによりその上端９で保持されており、これによりＩ／Ｏカードの半抜けを防止している。
【０００４】
また、最近、各種の産業機器は連続運転される場合が多く、またオフィイス向けコンピュータは連続してバッチ処理を行うことが多く、これらの機器に付属のサーバやパソコン等も連続運転される。従って、保守点検時にサーバ等の電源を切ることは時間的損失となり生産性が低下するため、サーバ等では電源を入れたままで各種の保守作業を行うことが多く、Ｉ／Ｏカード等の電子部品の交換も電源を切らずに行うことが要求されている。また、サーバ等が大型化し多数の外部機器と接続する機会が増えると、多数・多種のインターフェースが必要となり、インターフェースとしてのＩ／Ｏカードを増設する必要があり、更に連続運転のため電子部品の交換も比較的頻繁となっている。
【０００５】
【発明が解決しようとする課題】
以上のようなＩ／Ｏカードの交換や増設の場合、図１３の従来の電子部品の保持構造であると、例えばＩ／Ｏカード３ａを交換する際にねじ７を緩めて外して保持部材５ａを取り外すが、このとき、ねじ７を誤って筐体１内に落としてしまうことがあり、落下したねじ７が筐体１の下方の例えばマザーボード等の基板の上に載ってしまうと、ショート等のおそれが生じ、好ましくない。また、Ｉ／Ｏカード３ａを交換する時に隣のＩ／Ｏカード３ｂに接触したり、作業者の手に隣のＩ／Ｏカード３ｂが触れてしまうおそれがあり、交換対象以外のＩ／Ｏカードとの干渉の問題が生じる。
【０００６】
サーバ等の電子機器では以上のような事故発生を避け、電子部品の交換や増設時の作業性及び安全性を向上させることが要求され、このためねじ等を用いずに確実に電子部品を電気的に絶縁するとともに保持し固定する構造が必要である。
【０００７】
また、図１３のような従来の電子機器の電子部品の保持構造によれば、部品点数も多く、またその組立に要する工数も多くなり、コスト的にも不利である。更に、多数のインターフェースが必要となる結果、Ｉ／Ｏカードのサイズも多様化しており、図１３の場合では長さの異なる保持部材５ａ，５ｂ，５ｃを用意しておかなければならず、部品コストが嵩んでしまう。このため、そのサイズに関わらず簡単な構成でＩ／Ｏカード等を保持できる保持構造が必要となっている。
【０００８】
本発明の第１の目的は、電子部品を隣接の電子部品から電気的に絶縁するとともに確実に保持し固定でき、電子部品の交換や増設時の作業性及び安全性を向上させることのできる仕切り板、保持部材、電子部品の仕切構造及び電子機器を提供することである。
【０００９】
本発明の第２の目的は、電子部品のサイズに変更があっても電子部品を確実に保持し固定できるとともに電子部品の着脱が容易である仕切り板、保持部材、電子部品の仕切構造及び電子機器を提供することである。
【００１０】
本発明の第３の目的は、部品コスト及び組立工数を削減できるような簡単な構造である仕切り板、保持部材、電子部品の仕切構造及び電子機器を提供することである。
【００１１】
【課題を解決するための手段】
上記目的を達成するために、本発明による仕切り板は、電気絶縁材料から構成された板状部材からなり、前記板状部材の少なくとも一方の面に第１のラッチ部が形成されたラッチ領域を具備し、前記ラッチ領域に対し保持部材が差し込まれて前記保持部材の第２のラッチ部が前記第１のラッチ部に係止して前記保持部材が前記板状部材に近接する電子部品を保持するように構成されている。
【００１２】
この仕切り板によれば、電気絶縁性の板状部材により電子部品を他の電子部品等から電気的に絶縁するように仕切ることができるから、電子機器に適用した場合、電子部品の交換や増設時に他の電子部品との干渉を避けることができ、例えば電子機器の電源を入れたままで電子部品の交換や増設の作業を行うことが可能となり、作業性及び安全性を向上できる。また、例えば多数の溝状に形成された第１のラッチ部と例えば突起状に形成された第２のラッチ部とによりラッチ構造を形成でき、このラッチ構造により、保持部材がラッチ領域に差し込まれると、差し込み方向へ自在に移動するが、その逆方向へ移動できないから、近接する電子部品の端部に当接するまで保持部材を差し込むとそこで停止して電子部品を確実に保持し固定することができる。なお、ラッチ領域は板状部材の片面または両面に形成してよい。
【００１３】
また、前記ラッチ領域を複数設け、各ラッチ領域に対応して、前記保持部材が差し込まれる前記板状部材の一端部に段差を設けることにより、各ラッチ領域において板状部材の一端部までの高さが異なるから、高さの異なる種々のサイズの電子部品に対応して電子部品を確実に保持し固定することができる。
【００１４】
また、前記板状部材に前記電子部品を装着するためのガイドレール部を一体に設けることにより、電子部品が近接して配置された場合、このガイドレール部で支持することができる。また、かかるガイドレール部を板状部材に一体に設けたので、電子機器において従来のように別部材として特別に配置する必要がなくなり、構造を簡単にできるとともに部品点数を減らすことができ、組立工数及び部品コストの削減を達成できる。なお、かかるガイドレール部は、板状部材の一面側だけでなく両面側に設けてもよく、両面側にあると、両側の電子部品を効率的に支持できる。
【００１５】
また、前記電子部品が近接して配置された際に前記電子部品を掴むことができるような開口部を前記板状部材に設けることにより、近接した電子部品の着脱が容易になり、特に比較的高さの低い電子部品の着脱が容易となり、交換や増設等の作業がし易くなり好ましい。
【００１６】
また、前記ラッチ領域に近接してラッチ部のない非ラッチ領域を前記第１のラッチ部の延びる方向に設け、前記第１のラッチ部に沿って前記保持部材が前記非ラッチ領域に向けてスライドが可能であるように構成することができる。これによれば、保持部材を非ラッチ領域までスライドさせた後に仕切り板から引き抜くことにより簡単に取り外すことができるので、電子部品の交換の作業が簡単となる。また、ラッチ構造を不要な振動等を伴わずに簡単に解除できるから、電子部品の交換時等に電子機器内の他の精密部品等に悪影響を及ぼさない。
【００１７】
また、本発明による電子部品の仕切構造は、上述のような仕切り板を２つの電子部品の間に配置し前記両電子部品を電気的に絶縁するように仕切るとともに前記保持部材が前記電子部品を保持するものである。これにより、両電子部品を確実に電気的に絶縁し仕切る構造を提供でき、かかる構造において上述の各効果を奏することができる。また、仕切り板と保持部材とでラッチ構造を構成することにより、簡単な構造で電子部品を確実に保持し固定できるので、組立工数及びコスト削減が実現できる。
【００１８】
なお、上述の仕切り板または上述の電子部品の仕切構造を備えるように電子機器を構成することにより、上述の各効果を奏することができる。また、板状の仕切り板を電子機器内に配置しても特にスペース的に不利になることはない。また、電子部品と仕切り板との間のスペースを利用して電子機器内に冷却・断熱のための風を送る場合、仕切り板及び上述の仕切構造が整風手段としての機能を発揮することができる。
【００１９】
また、本発明の保持部材は、上述のような仕切り板に差し込まれて前記電子部品を保持するものである。この保持部材により、仕切り板に近接して配置された電子部品を確実に保持し固定できる。
【００２０】
更に、本発明による電子機器は、電気絶縁材料から構成された板状部材からなり、前記板状部材の少なくとも一方の面に設けられ第１のラッチ部が形成されたラッチ領域を備え筐体内に配置された仕切り板を具備し、前記第１のラッチ部に係止する第２のラッチ部と、前記仕切り板に近接して前記筐体内に配置された電子部品に当接して保持する保持部とを備えた保持部材が前記ラッチ領域に差し込まれて前記保持部が前記電子部品に当接し前記第２のラッチ部が前記第１のラッチ部に係止されて前記保持部材が前記電子部品を保持し固定することを特徴とする。
【００２１】
また、上述の保持部材において前記仕切り板の両面側に配置された両電子部品を保持するように構成することにより、１つの保持部材で隣接する２つの電子部品を保持することができ、部品点数を削減でき好ましい。
【００２２】
更に、前記保持部材が、一端で連結し他端で開口し対向した第１の側面部と第２の側面部とを備え、前記第２のラッチ部が前記第１の側面部の前記他端側内面に設けられ、前記保持部が前記第１及び第２の側面部の少なくとも一方に外面側に突き出るように設けらるように構成できる。これによれば、保持部材を第１の側面部と第２の側面部との間の開口から仕切り板のラッチ領域に差し込むことができるから、簡単にラッチ構造を形成することができ、電子部品の保持・固定のための組立作業が極めて容易となる。なお、保持部は両側面部またはいずれか一方に設けてよい。
【００２３】
また、前記仕切り板が可撓性に構成され、前記板状部材の側端に係止部を設け、前記係止部が前記筐体の筐体側係止部に係止されることにより、前記仕切り板が前記筐体内に取り付けられるように構成できる。これによれば、仕切り板を撓ませながら係止部を筐体側係止部に位置決めしてから緩めて元に戻すと、係止部が筐体側係止部に係止する。従って、従来のようなねじを用いずに仕切り板を筐体に確実に取り付け固定することができる。なお、仕切り板の係止部は両側端に設けるのが好ましい。
【００２４】
なお、前記筐体内に前記電子部品を着脱自在とする接続ソケットが複数配置され、前記接続ソケットと隣り合う前記接続ソケットとの間に前記仕切り板が配置され、前記接続ソケットの一部に前記電子部品が取り付けられている構成にできる。これによれば、電子部品を空いている接続ソケットに装着する場合、確実かつ簡単に電子部品の電気的絶縁及び保持・固定を行うことができる。
【００２５】
【発明の実施の形態】
以下、本発明による実施の形態について図面を用いて説明する。図１は本発明による実施の形態の仕切り板を示す図であり、仕切り板の正面図（ａ）、側面図（ｂ）及び平面図（ｃ）である。図１に示すように、仕切り板１０は、全体として略長方形状の可撓性のある板状部材から構成され、その長さは適用される電子機器の筐体のサイズに応じて決められ、その長手方向Ｌに沿ってＩ／Ｏカード等の電子部品がその平面１０ａ，１０ｂに対向してほぼ平行に配置される。板状部材は電気絶縁材料の樹脂等からなり、例えばＡＢＳ樹脂を用いることができるが、他の電気絶縁材料でもよい。
【００２６】
仕切り板１０の平面１０ａのほぼ中央部分には、複数のラッチ領域１１，１２，１３，１４が設けられている。第１のラッチ領域１１は、板状部材の上端１０ｃと同じ高さの第１の上端部１１ａから下方にラッチ部の形成されていない保持部材導入部１１ｂを介して所定の高さ及び長手方向幅で形成されている。第２のラッチ領域１２は、第１の上端部１１ａから所定の距離で落ち込んで段差の形成された第２の上端部１２ａから下方に同様の保持部材導入部１２ｂを介して所定の高さ及び長手方向幅で形成されている。第３のラッチ領域１３は、第２の上端部１２ａから同様に落ち込んで段差の形成された第３の上端部１３ａから下方に同様の保持部材導入部１３ｂを介して所定の高さ及び長手方向幅で形成されている。第４のラッチ領域１４は、第３の上端部１３ａから同様に落ち込んで段差の形成された第４の上端部１４ａから下方に同様の保持部材導入部１４ｂを介して所定の高さ及び長手方向幅で形成されている。
【００２７】
図２は、図１（ａ）のＩＩＡ−ＩＩＡ線方向に切断して見た仕切り板の断面図（ａ）、同じくＩＩＢ−ＩＩＢ線方向に切断して見た断面図（ｂ）、及び図２（ｂ）の一部拡大断面図（ｃ）である。第１〜第３のラッチ領域１１，１２，１３の全体には、第１のラッチ部としてのラッチ溝部２０が、図２（ｂ）のように、長手方向Ｌに延びるように連続的に多数本形成されており、図２（ｃ）のように、板厚方向にほぼ垂直な垂直部２０ａと、垂直部２０ａの底から表面に向け傾斜した傾斜部２０ｂとが繰り返し形成されることにより構成されている。また、第４のラッチ領域１４にも同様のラッチ溝部２０が長手方向Ｌに延びて連続的に多数本形成されている。
【００２８】
第３のラッチ領域１３と第４のラッチ領域１４との間であって長手方向Ｌに沿ってラッチ溝部のない非ラッチ領域１５が設けられており、非ラッチ領域１５は各ラッチ溝部２０の垂直部２０ａの底とほぼ同一の平面となっている。
【００２９】
図３は、図１（ａ）と同じ側から見た仕切り板の斜視図（ａ）、及びその反対側から見た斜視図（ｂ）である。図３（ａ），（ｂ）に示すように、上述の第１〜第４のラッチ領域１１〜１４及び非ラッチ領域１５が仕切り板１０の両面１０ａ、１０ｂの表裏同じところに形成されているが、いずれか一方の面だけに形成してもよい。
【００３０】
また、仕切り板１０の一側端１０ｅの近傍には上端１０ｃと下端１０ｄとに向けて長い縦長の長円状の開口部１６が設けられている。この開口部１６は、仕切り板１０に電子部品が近接して配置されたときにそれを介して電子部品を掴むようにできるような大きさに形成されている。
【００３１】
また、仕切り板１０を電子機器の筐体に取り付けるための係止部として、一側端１０ｅに一対の係止爪１７ａ，１７ｂが、他側端１０ｆに係止爪１８ａ、１８ｂがそれぞれ設けられている。係止爪１７ａ，１７ｂは長手方向Ｌに一側端１０ｅから突き出しており、係止爪１８ａ、１８ｂは他側端１０ｆから平面１０ｂ側にほぼ垂直に突き出している。係止爪１７ａ，１７ｂ及び１８ａ，１８ｂは、電子機器の筐体側の係止部に係止されて仕切り板１０を筐体に取り付けるのに用いられる。
【００３２】
また、仕切り板１０は、一側端１０ｅ側では上端１０ｃとほぼ同じ高さに構成され、他側端１０ｆに向けて上端１０ｃ及び下端１０ｄにおいて高さ方向に幅狭に構成され、他側端１０ｆの高さ方向距離は短くなっている。この他側端１０ｆに係止爪１８ａ、１８ｂと反対側の平面１０ａ側に突き出た突出部１９ａが一体に設けられており、その内面側に溝状のガイドレール部１９が形成されている。ガイドレール部１９には、電子部品の一側端がはまり込んで電子部品を支持する。
【００３３】
次に、図４（ａ）〜（ｅ）により、図１〜図３の仕切り板のラッチ領域に差し込まれる保持部材について説明する。図４は、図１の仕切り板に取り付けることのできる保持部材の斜視図（ａ），その反対側から見た斜視図（ｂ），その側面図（ｃ），その正面図（ｄ）、及び平面図（ｅ）である。保持部材３０は、仕切り板１０と同じ電気絶縁材料から構成され、細長平面状の第１の側面部３１と、この第１の側面部３１と連結部３５で連結した同じ形状の第２の側面部３２とを備える。また、連結部３５と対向する側には開口３７が形成されており、第１の側面部３１と第２の側面部３２とは、この開口３７側が接するようなコ字状に構成されている。
【００３４】
また、保持部材３０は更に、開口３７側の第１の側面部３１の端部内面側に第２のラッチ部として形成されたラッチ突起部３３と、開口３７側の第２の側面部３２の端部外面側に突き出て補強部３６により補強された保持部３４とを備える。第２の側面部３２の内面側は開口３７の近傍で面取りがされて傾斜部３７ａが形成されており、保持部材３０を仕切り板のラッチ領域に差し込み易くなっている。
【００３５】
図４（ａ），（ｂ），（ｄ）に示すように、ラッチ突起部３３は、第１の側面部３１の内面からほぼ垂直に突き出るよう幅方向に線状に形成された垂直部３３ａと、その垂直部３３ａの頂点から第１の側面部３１の下端に向けて傾斜した傾斜部３３ｂとを備える。このラッチ突起部３３が仕切り板１０のラッチ溝部２０に係止される。
【００３６】
次に、図５（ａ）〜（ｄ）により図１〜図３の仕切り板に図４の保持部材を取り付けた状態を説明する。図５は、図１の仕切り板に図４の保持部材を取り付けた状態を示す正面図（ａ）、その平面図（ｂ）、その側面図（ｃ）、及びラッチ部の係止によるラッチ構造を詳しく示す一部拡大側面図（ｄ）である。仕切り板１０の第１の上端部１１ａに保持部材３０の開口３７を合わせ、保持部材３０を押し込むと、仕切り板１０の保持部材導入部１１ａに入り込む。保持部材３０を更に押し込むと、第１のラッチ領域１１に入り込み、図５（ｃ）のように保持部材３０の差し込みを停止すると、保持部材３０のラッチ突起部３３が仕切り板１０の平面１０ｂ側に形成された第１のラッチ領域１１のラッチ溝部２０に入り込んで係止状態となる。この状態で保持部材３０を図の上方に引き抜こうとしてもラッチ突起部３３の垂直部３３ａがラッチ溝部２０の垂直部２０ａに当接して仕切り板１０から引き抜くことができない。一方、保持部材３０を図の下方に更に押し込むと、ラッチ突起部３３の傾斜部３３ｂがラッチ溝部２０の傾斜部２０ｂに沿って移動し、ラッチ突起部３３が下方にある隣のラッチ溝部２０に入り込み、これが繰り返されて、保持部材３０は第１のラッチ領域１１で下方に移動することができる。更に押し込むと、第４のラッチ領域１４の保持部材４０のようにその連結部３５が仕切り板１０の第４の上端部１４ａに当接するまで差し込まれる。
【００３７】
以上のようにして、仕切り板１０のラッチ溝部２０と保持部材３０のラッチ突起部３３とがラッチ構造を形成し、保持部材３０が仕切り板１０のラッチ領域で係止される。なお、保持部材３０を仕切り板１０から取り去る場合には、保持部材３０を図５（ａ）の長手方向Ｌの右方にスライドさせることにより、第２の上端部１２ａの上方の段差空間から取り去ることができる。また、保持部材４０の場合は、保持部材４０を図の長手方向Ｌの左方にスライドさせ非ラッチ領域１５に完全に移動させてから、上方に引き抜くことにより取り去ることができる。
【００３８】
次に、図６，図７（ａ），（ｂ），図８（ａ）〜（ｄ）により、図１〜図３の仕切り板に近接して配置した電子部品を図４の保持部材で保持し固定する電子部品の仕切構造について説明する。図６は、仕切り板に近接して電子部品を配置した電子部品の仕切構造を示す背面図である。図７は、図６の仕切構造を図６と同じ側から見た斜視図（ａ）、及びその反対側の正面側から見た斜視図（ｂ）である。図８は、図６の仕切構造を示す正面図（ａ）、その平面図（ｂ）、その左側面図（ｃ）、及びその右側面図（ｄ）である。
【００３９】
図に示すように、電子部品としてのＰＣＩカード５０はその下端５０ｂから突き出ている端子部５０ｄ（図８（ｄ））から電子機器の筐体（図示省略）に固定されたコネクタ５１に差し込まれている。ＰＣＩカード５０の一平面５２に近接して仕切り板１０が配置され、ＰＣＩカード５０の平面５２のほぼ全面が仕切り板１０で覆われている。仕切り板１０は、その第１及び第２のラッチ領域１１，１２がＰＣＩカード５０の上端部５０ａよりも高くなっている。
【００４０】
また、仕切り板１０のガイドレール部１９に対しＰＣＩカード５０の側端部５０ｃが差し込まれており（図８（ｂ））、ＰＣＩカード５０が支持されている。このように、ガイドレール部１９を仕切り板１０に一体に設けたので、従来のようにガイドレールを別部材として別個に配置する必要がなく、部品コスト及び組立工数を削減でき、好ましい。なお、仕切り板１０は、筐体に係止爪１７ａ，１７ｂ、係止爪１８ａ，１８ｂにより筐体に固定される。
【００４１】
このように配置されたＰＣＩカード５０は、仕切り板１０の第１のラッチ領域１１に保持部材３０を差し込み保持部３４がその上端部５０ａに当接することにより、簡単に保持され固定される。このため、図１３の従来の保持構造に比べて構造が簡単になりかつ電子部品の保持・固定が極めて容易となり、電子機器の組立工数も削減し、コスト的にも極めて有利となる。また、図５で説明したように、保持部材３０のラッチ突起部３３は仕切り板１０の平面１０ｂ側の第１のラッチ領域１１のラッチ溝部２０に係止されておりラッチ構造を形成しているから、保持部材３０は図の上方に移動できず、ＰＣＩカード５０を確実に保持し固定することができ、コネクタ５１から抜け出てしまう半抜けを確実に防止できる。
【００４２】
次に、上述のＰＣＩカードよりも高さの低いＰＣＩカードを保持し固定する変形例を図９（ａ），（ｂ）により説明する。図９は、高さの比較的低い電子部品の仕切構造を示す背面図（ａ）、及びその正面図（ｂ）である。ＰＣＩカード５３は、第４のラッチ領域の上端部１４ａよりも低く、第４のラッチ領域１４でその上端面５３ａに保持部材３０の保持部３４が当接することにより保持され固定されている。ＰＣＩカード５３は、その上端部５３ａが開口部１６内にあり、コネクタ５１から引き抜くときやコネクタ５１に差し込むときには、開口部１６を介してＰＣＩカード５３を掴むことができる。このように、高さの異なる種々のサイズの電子部品を配置した場合でも、そのサイズに対応した高さの異なる複数のラッチ領域において同じ保持部材で電子部品を確実に保持し固定することができる。また、開口部を介して電子部品を掴むことができ、電子部品の着脱が容易となり、特に高さの低い電子部品の場合には交換等の作業が楽となる。また、保持部材３０は、同一サイズのものを各ラッチ領域で使用できるので、部品点数が不要に増えず、コスト的に有利である。
【００４３】
次に、上述のような電子部品の仕切構造を電子機器に適用した例を図１０（ａ）〜（ｃ），図１１（ａ）〜（ｃ）及び図１２により説明する。図１０は、図６〜図８の仕切構造を電子機器に適用した例を示す電子機器の筐体の平面図（ａ）、その正面図（ｂ）、及びその背面図（ｃ）である。図１１は、図１０の１１Ａ−１１Ａ線方向から見た筐体の側面図（ａ）、筐体の前面パネル近傍の一部拡大平面図（ｂ）、及び同じく後面パネル近傍の一部拡大平面図（ｃ）である。図１２は、図１０の筐体の後面パネルに設けられた係止孔を示す斜視図である。図のように、電子機器６０の内部には筐体６３が固定されており、図１〜図３に示す仕切り板７１〜７６と、Ｉ／Ｏカード用ソケット５１と、Ｉ／Ｏカード６５とが筐体６３に取り付けられている。Ｉ／Ｏカード６５がソケット５１（図１１（ａ））に差し込まれて、仕切り板７１と７２との間に位置している。上述と同じように保持部材６７が仕切り板７１の第１のラッチ領域１１に差し込まれており、Ｉ／Ｏカード６５が保持部材６７の保持部３４で保持され固定されている。
【００４４】
仕切り板７２と７３との間、仕切り板７３と７４との間、仕切り板７４と７５との間、及び仕切り板７５と７６との間には、それぞれＩ／Ｏカード用のソケット５１が配置されている。これにより、例えば電子機器６０の使用中にユーザの要望等により任意にＰＣＩカード等のＩ／Ｏカードを増設することができるようになっている。
【００４５】
仕切り板７１を筐体６３に取り付けるために、筐体６３の前面パネル６１に筐体側係止部としての一対の係止孔６１ａ、６１ｂが設けられており、また、図１２に示すように、後面パネル６２の内面側に直立するよう設けられた係止部材６４に筐体側係止部としての一対の係止孔６４ａ、６４ｂが設けられている。仕切り板７１を筐体６３に取り付けるには、仕切り板７１を若干撓ませながら、仕切り板７１の一対の係止爪１７ａ，１７ｂを前面パネル６１の一対の係止孔６１ａ、６１ｂに差し込むとともに、反対側の一対の係止爪１８ａ、１８ｂを互いに若干離れるよう弾性変形させながら後面パネル６２の一対の係止孔６４ａ、６４ｂに押し込むことにより係止爪１８ａ、１８ｂが係止孔６４ａ、６４ｂに係止される。また、他の仕切り板７２〜７６も同様にして筐体６３に取り付けることができる。このようにして、従来のようにねじ等の特別の部品を使用せずに仕切り板７１〜７６を筐体６３に取り付けることができ、ねじをメンテナンス時等に誤って落として他の基板の上に載ってしまうといった事故が起きず、電子機器６０を電源を入れたままメンテナンス等を行うことができ、好ましい。
【００４６】
なお、電子部品としてのＩ／Ｏカードを例えば仕切り板７２と７３との間のソケットに接続し、Ｉ／Ｏカード６５と同様に筐体に取り付け保持部材で保持し固定することができる。この場合、Ｉ／Ｏカードをメンテナンス時に交換のために取り外すときや増設時に取り付けるときに、他のＩ／Ｏカードと触れたりする等の干渉を防止でき、電子機器６０を電源を入れたままメンテナンス等を行う際に有利である。
【００４７】
また、Ｉ／Ｏカード６５を取り外す際には、保持部材６７を図１１（ａ）の左方にスライドさせて非ラッチ領域１５から上方へ簡単に引く抜くことができる。このように、ラッチ構造を容易に解除することができるので、部品交換時の保守作業の時間短縮が可能となり、また組立作業及び不要な振動や衝撃を発生させず電子機器６０内の他のハードディスク等の精密部品に悪影響を与えない。
【００４８】
また、電子機器６０内には、内部の発熱部品の冷却や各部品の断熱のために冷却ファン（図示省略）を設けているが、各仕切り板７１〜７６はこの冷却ファンからの風を整える整風手段として機能することができる。
【００４９】
次に、図１４により図４の保持部材の変形例について説明する。図１４は、第２の保持部材の斜視図（ａ）、正面図（ｂ）、側面図（ｃ）、及び平面図（ｄ）である。この第２の保持部材１３０は、図４の保持部の構成を変えた以外は、基本的な構成が図４の保持部材３０と同じであるから、同一部分には同一符号を付してその説明を省略する。
【００５０】
図に示すように、第２の保持部材１３０の保持部１３４に複数の溝からなる溝部１３４ａが形成されている。この溝部１３４ａは保持するＰＣＩカードまたはＩ／Ｏカード等の電子部品の上端部の位置に対応しかつその断面形状と対応した形状に構成される。この溝部１３４ａ内にＰＣＩカード等の上端部がはまり込んで挟持されることにより、一層確実にＰＣＩカード等の電子部品を保持し固定することができ、また、電子部品に加わる縦振動のみならず、横振動をも効果的に防ぐことができ、更に確実に電子部品の半抜けを防止することができる。
【００５１】
次に、図１５，図１６により図１〜図３の仕切り板の変形例について説明する。図１５は第２の仕切り板の正面図（ａ）及び平面図（ｂ）であり、図１６は第２の仕切り板の斜視図である。この第２の仕切り板１００は、図１〜図３の仕切り板に第５のラッチ領域を設けた以外は、基本的な構成が図１〜図３の仕切り板１０と同じであるから、同一部分には同一符号を付してその説明を省略する。
【００５２】
図に示すように、第２の仕切り板１００には開口部１６と第４のラッチ領域１４との間に第５のラッチ領域１０５が設けられている。この第５のラッチ領域１０５は、第１のラッチ領域１１の上端部１１ａとほぼ同じ高さの第５の上端部１０５ａから下方にラッチ部の形成されていない保持部材導入部１０５ｂを介して所定の高さ及び長手方向幅で形成されている。
【００５３】
例えば保持するＰＣＩカードまたはＩ／Ｏカード等の電子部品の長さやＰＣＩカード等の接続ソケットの位置によっては、第１のラッチ領域１１で電子部品を保持することができない場合に、第５のラッチ領域１０５に保持部材を差し込んで電子部品を保持し固定することができる。このように、第５のラッチ領域１０５を設けることにより、様々な種類・サイズのＰＣＩカードまたはＩ／Ｏカード等の電子部品を使用する場合にも柔軟に対応することができ、好ましい。また、同一の電子部品を第１及び第５のラッチ領域１１，１０５の２箇所で保持することができ、一層確実に電子部品を固定できる。
【００５４】
図１７は、上述のような図１５，図１６の第２の仕切り板１００に図１４の第２の保持部材を取り付けた状態の正面図（ａ）、平面図（ｂ）、側面図（ｃ）である。図のように、図１４に示す複数の保持部材１３１，１３２，１３３が第１のラッチ領域１１，第４のラッチ領域１４及び第５のラッチ領域１０５にそれぞれ差し込まれて、ラッチ構造を形成し係止した状態となっている。
【００５５】
次に、図１８、図１９により、図１５，図１６の第２の仕切り板１００を近接して配置した電子部品を図１４の第２の保持部材１３０で保持し固定する電子部品の仕切構造について説明する。図１８は、図１５，図１６の第２の仕切り板に近接して電子部品を配置し図１４の第２の保持部材により保持し固定した電子部品の仕切構造を示す背面図（ａ）、平面図（ｂ）、左側面図（ｃ）、右側面図（ｄ）、正面図（ｅ）、及び右側面図の一部拡大図（ｆ）であり、図１９は、この仕切構造を図１８（ａ）と同じ側から見た斜視図（ａ）、及びその反対側の正面側から見た斜視図（ｂ）である。
【００５６】
図に示すように、多数の部品を実装して全体として比較的厚みのあるＰＣＩカード１５０が仕切り板１００の平面１０ａ側に近接して配置されており、仕切り板１００の第１のラッチ領域で図１４の保持部材１３０により保持され固定されている。この仕切構造によれば、図１８（ｆ）に示すように、ＰＣＩカード１５０のプリント基板１５０ａの上端面１５０ｂが保持部１３４の溝部１３４ａの溝にはまり込んで挟持されるので、ＰＣＩカード１５０は保持部材１３０により一層確実に保持され、固定されている。また、ＰＣＩカード１５０に加わる縦振動及び横振動を効果的に防ぐことができ、更に確実にＰＣＩカード１５０の半抜けを防止することができる。また、別の保持部材１３０を用いてＰＣＩカード１５０の上端面を別のラッチ領域（例えば第５のラッチ領域１０５）で保持することにより、２箇所で保持することができ、一層確実に電子部品を固定できる。
【００５７】
次に、図２０，図２１により、ＰＣＩカードを仕切り板の他の平面側にもう１枚配置し、ＰＣＩカード２枚の間に仕切り板を配置した例を説明する。図２０は、２つの電子部品の間に図１５，図１６の第２の仕切り板を近接して配置し図１４の第２の保持部材によりそれぞれ保持し固定した電子部品の仕切構造を示す背面図（ａ）、平面図（ｂ）、左側面図（ｃ）、右側面図（ｄ）、正面図（ｅ）及び右側面図の一部拡大図（ｆ）であり、図２１は、この仕切構造を図２０（ａ）と同じ側から見た斜視図（ａ）、及びその反対側の正面側から見た斜視図（ｂ）である。
【００５８】
図に示すように、仕切り板１００の平面１０ａ側に板状のＰＣＩカード１５１を、平面１０ｂ側に高さ及び長さがともに比較的小さい板状のＰＣＩカード１５２をそれぞれ配置している。仕切り板１００が２枚のＰＣＩカード１５１と１５２とを電気的に絶縁するように仕切っている。図１４に示す保持部材１３４が仕切り板１００の第２のラッチ領域１２でＰＣＩカード１５１を保持し固定し、同様に、保持部材１３５が仕切り板１００の第４のラッチ領域１４でＰＣＩカード１５１を保持し固定している。ＰＣＩカード１５１，１５２は、図２０（ｃ），（ｄ），（ｆ）に示すように、各上端部１５１ａ、１５２ａが各保持部１３４の溝部１３４ａ内にはまり込むことにより、一層確実に保持され、固定されている。
【００５９】
図６〜図８、図９、図１８、図１９では、電子部品としてのＰＣＩカード１枚に仕切り板を配置した例を説明したが、上述の図２０，図２１では、仕切り板１００が２枚のＰＣＩカード１５１，１５２を電気的に絶縁した状態で両者を仕切ることができ、その組立時や引き抜き時に干渉しないので、組立作業やメンテナンス作業がし易く、その作業性及び安全性を向上させることができる。また、ＰＣＩカード１５１，１５２のように高さが異なる場合でも保持部材を別々のラッチ領域に差し込むことにより、高さの違うＰＣＩカードを保持し固定することができる。
【００６０】
次に、図２２により図１４の保持部材の変形例について説明する。図２２は、第３の保持部材の斜視図（ａ）、正面図（ｂ）、左側面図（ｃ）、右側面図（ｄ）及び平面図（ｅ）である。この第３の保持部材２３０は、図１４の保持部の構成を変えた以外は、基本的な構成が図１４の保持部材１３０と同じであるから、同一部分には同一符号を付してその説明を省略する。
【００６１】
図に示すように、第３の保持部材２３０は、第１の側面部３１の下端外側に補強部３６により補強された保持部２３４を更に設けている。この保持部２３４には保持部１３４と同様の複数の溝からなる溝部２３４ａが形成されている。なお、ラッチ突起部３３は第２の側面部３２の端部内面側に設けられている。この保持部材２３０によれば、２つの保持部１３４，２３４により仕切り板の両側で両ＰＣＩカードを１つの保持部材で保持し固定することができ、両ＰＣＩカードの高さが同じであるときに１つの部品で済むから、特に有利である。
【００６２】
次に、図２３、図２４により、図１５，図１６の第２の仕切り板１００に近接して配置され仕切られた２つの電子部品を図２２の第３の保持部材２３０で保持し固定する電子部品の仕切構造について説明する。図２３は、図１５，図１６の第２の仕切り板に近接して電子部品を配置し図２２の第３の保持部材により保持し固定した電子部品の仕切構造を示す背面図（ａ）、平面図（ｂ）、左側面図（ｃ）、右側面図（ｄ）、及び正面図（ｅ）であり、図２４は、この仕切構造を図２３（ａ）と同じ側から見た斜視図（ａ）、及びその反対側の正面側から見た斜視図（ｂ）である。
【００６３】
図に示すように、電子部品の比較的厚みのあるＰＣＩカード１５３が仕切り板１００の平面１０ａ側に、ＰＣＩカード１５３と同じ高さの板状のＰＣＩカード１５４が平面１０ｂ側にそれぞれ近接して配置されている。両ＰＣＩカード１５３，１５４が仕切り板１００の第５のラッチ領域１０５で図２２の保持部材２３０により各保持部１３４，２３４で保持され固定されている。この仕切構造によれば、各ＰＣＩカード１５３，１５４の上端面１５３ａ，１５４ａが保持部１３４，２３４の各溝部１３４ａ，２３４ａの各溝にそれぞれはまり込んでいる。これにより、１つの保持部材２３０で両ＰＣＩカード１５３，１５４が一層確実に保持され、固定されている。また、各ＰＣＩカード１５３，１５４に加わる縦振動及び横振動を効果的に防ぐことができ、更に確実に各ＰＣＩカード１５３，１５４の半抜けを防止することができる。
【００６４】
以上のように本発明を実施の形態により説明したが、本発明はこれらに限定されるものではなく、本発明の技術的思想の範囲内で各種の変形が可能である。例えば、仕切り板は横長のみならず、電子機器の形状や構造に対応して縦長に構成してもよく、また開口部は複数設けてもよく、ラッチ領域は更に増やすこともでき、また減らしてもよい。また、ガイドレール部は、他側端１０ｆ側に設けたが、反対側の側端１０ｅ側に設けることもできる。また、保持部材側の第２のラッチ部を溝状にし、この溝状の第２のラッチ部と仕切り板側の突起状の第１のラッチ部とによりラッチ構造を構成するようにしてもよい。
【００６５】
【発明の効果】
本発明によれば、電子部品を隣接の電子部品から電気的に絶縁するとともに確実に保持し固定でき、電子部品の交換や増設時の作業性及び安全性を向上させることのできる仕切り板、保持部材、電子部品の仕切構造及び電子機器を提供できる。
【００６６】
また、電子部品のサイズに変更があっても電子部品を確実に保持し固定できるとともに電子部品の着脱が容易である仕切り板、保持部材、電子部品の仕切構造及び電子機器を提供できる。
【００６７】
また、部品コスト及び組立工数を削減できるような簡単な構造である仕切り板、保持部材、電子部品の仕切構造及び電子機器を提供できる。
【図面の簡単な説明】
【図１】本発明による実施の形態の仕切り板の正面図（ａ），側面図（ｂ）、及び平面図（ｃ）である。
【図２】図１（ａ）のＩＩＡ−ＩＩＡ線方向に切断して見た仕切り板の断面図（ａ）、同じくＩＩＢ−ＩＩＢ線方向に切断して見た断面図（ｂ）、及び図２（ｂ）の一部拡大断面図（ｃ）である。
【図３】図１（ａ）と同じ側から見た仕切り板の斜視図（ａ）、及びその反対側から見た斜視図（ｂ）である。
【図４】図１の仕切り板に取り付けることのできる保持部材の斜視図（ａ），その反対側から見た斜視図（ｂ），その側面図（ｃ），その正面図（ｄ）、及び平面図（ｅ）である。
【図５】図１の仕切り板に図４の保持部材を取り付けた状態を示す正面図（ａ）、その平面図（ｂ）、その側面図（ｃ）、及びラッチ部の係止によるラッチ構造を詳しく示す一部拡大側面図（ｄ）である。
【図６】仕切り板に近接して電子部品を配置した電子部品の仕切構造を示す背面図である。
【図７】図６の仕切構造を図６と同じ側から見た斜視図（ａ）、及びその反対側の正面側から見た斜視図（ｂ）である。
【図８】図６の仕切構造を示す正面図（ａ）、その平面図（ｂ）、その左側面図（ｃ）、及びその右側面図（ｄ）である。
【図９】図６〜図８の仕切構造の変形例であって、高さの比較的低い電子部品の仕切構造を示す背面図（ａ）、及びその正面図（ｂ）である。
【図１０】図６〜図８の仕切構造を電子機器に適用した例を示す電子機器の筐体の平面図（ａ）、その正面図（ｂ）、及びその背面図（ｃ）である。
【図１１】図１０の１１Ａ−１１Ａ線方向から見た筐体の側面図（ａ）、筐体の前面パネル近傍の一部拡大平面図（ｂ）、及び同じく後面パネル近傍の一部拡大平面図（ｃ）である。
【図１２】図１０の筐体の後面パネルに設けられた係止孔を示す斜視図である。
【図１３】従来の電子機器の電子部品の保持構造を示す図である。
【図１４】保持部材の変形例である第２の保持部材の斜視図（ａ）、その正面図（ｂ）、その側面図（ｃ）、及びその平面図（ｄ）である。
【図１５】仕切り板の変形例である第２の仕切り板の正面図（ａ）及び平面図（ｂ）である。
【図１６】図１５の第２の仕切り板の斜視図である。
【図１７】図１５，図１６の第２の仕切り板１００に図１４の第２の保持部材を取り付けた状態を示す正面図（ａ）、その平面図（ｂ）、及びその側面図（ｃ）である。
【図１８】図１５，図１６の第２の仕切り板に近接して電子部品を配置し図１４の第２の保持部材により保持し固定した電子部品の仕切構造を示す背面図（ａ）、その平面図（ｂ）、その左側面図（ｃ）、その右側面図（ｄ）、その正面図（ｅ）、及び右側面図の一部拡大図（ｆ）である。
【図１９】図１８に示す仕切構造を図１８（ａ）と同じ側から見た斜視図（ａ）、及びその反対側の正面側から見た斜視図（ｂ）である。
【図２０】２つの電子部品の間に図１５，図１６の第２の仕切り板を近接して配置し図１４の第２の保持部材によりそれぞれ保持し固定した電子部品の仕切構造を示す背面図（ａ）、その平面図（ｂ）、その左側面図（ｃ）、その右側面図（ｄ）、その正面図（ｅ）及び右側面図の一部拡大図（ｆ）である。
【図２１】図２０の仕切構造を図２０（ａ）と同じ側から見た斜視図（ａ）、及びその反対側の正面側から見た斜視図（ｂ）である。
【図２２】保持部材の変形例である第３の保持部材の斜視図（ａ）、その正面図（ｂ）、その左側面図（ｃ）、その右側面図（ｄ）及びその平面図（ｅ）である。
【図２３】図１５，図１６の第２の仕切り板に近接して電子部品を配置し図２２の第３の保持部材により保持し固定した電子部品の仕切構造を示す背面図（ａ）、平面図（ｂ）、左側面図（ｃ）、右側面図（ｄ）、及び正面図（ｅ）である。
【図２４】図２３の仕切構造を図２３（ａ）と同じ側から見た斜視図（ａ）、及びその反対側の正面側から見た斜視図（ｂ）である。
【符号の説明】
１０，７１〜７６            仕切り板
１１〜１４                  第１〜第４のラッチ領域
１００                      第２の仕切り板
１０５                      第５のラッチ領域
１５                        非ラッチ領域
１６                        開口部
１７ａ，１７ｂ              係止爪
１８ａ，１８ｂ              係止爪
１９                        ガイドレール部
２０                        ラッチ溝部（第１のラッチ部）
３０，４０，６７            保持部材
３１                        第１の側面部
３２                        第２の側面部
３３                        ラッチ突起部（第２のラッチ部）
３４                        保持部
３５                        連結部
３７                        開口
５０，６５                  ＰＣＩカード、Ｉ／Ｏカード（電子部品）
５１                        コネクタ
６０                        電子機器
６３                        筐体
６１ａ，６１ｂ              係止孔
６４ａ，６４ｂ              係止孔
１３０                      第２の保持部材
１３４                      保持部
１３４ａ                    溝部
２３０                      第３の保持部材
２３４                      保持部
２３４ａ                    溝部
１５０〜１５４              ＰＣＩカード（電子部品）
【図１】
0003843664.tif 000002
【図２】
0003843664.tif 000003
【図３】
0003843664.tif 000004
【図４】
0003843664.tif 000005
【図５】
0003843664.tif 000006
【図６】
0003843664.tif 000007
【図７】
0003843664.tif 000008
【図８】
0003843664.tif 000009
【図９】
0003843664.tif 000010
【図１０】
0003843664.tif 000011
【図１１】
0003843664.tif 000012
【図１２】
0003843664.tif 000013
【図１３】
0003843664.tif 000014
【図１４】
0003843664.tif 000015
【図１５】
0003843664.tif 000016
【図１６】
0003843664.tif 000017
【図１７】
0003843664.tif 000018
【図１８】
0003843664.tif 000019
【図１９】
0003843664.tif 000020
【図２０】
0003843664.tif 000021
【図２１】
0003843664.tif 000022
【図２２】
0003843664.tif 000023
【図２３】
0003843664.tif 000024
【図２４】
0003843664.tif 000025